(57)【要約】【課題】釣り用リールのハンドル把手において、軟質の把手部であっても軸方向にずれにくくする。【解決手段】ハンドル把手２３は、ハンドルアーム２１に固定された把手軸２２に装着可能なハンドル把手である。ハンドル把手２３は、筒状部３１と、把手部３２と、キャップ部材３３と、を備えている。筒状部３１は、把手軸２２に回転自在に装着可能であり、先端部に雌ネジ部３１ｅを有している。把手部３２は、筒状部３１の外周面に装着可能な内周面３２ａを有し、内周面３２ａの先端が筒状部３１の外周面から軸方向外方に突出して開口する軟質弾性体製である。キャップ部材３３は、雌ネジ部３１ｅに螺合する第１雄ネジ部３３ａと、把手部３２の開口を覆って把手部３２を抜け止めする大径の頭部３３ｂと、第１雄ネジ部３１ａと頭３１ｂ部との間に配置され、内周面３２ａに食い込み可能な突起部３３ｃと、を有している。【選択図】図４
2011083225.tif 000002
【特許請求の範囲】
【請求項１】
釣り用リールに固定された把手軸に装着可能なハンドル把手であって、
前記把手軸に回転自在に装着可能であり、先端部に雌ネジ部を有する筒状部と、
前記筒状部の外周面に装着可能な内周面を有し、前記内周面の先端が前記外周面から軸方向外方に突出して開口する軟質弾性体製の把手部と、
前記雌ネジ部に螺合する第１雄ネジ部と、前記把手部の開口を覆って前記把手部を抜け止めする大径の頭部と、前記第１雄ネジ部と前記頭部との間に配置され、前記軸方向外方に突出する内周面に食い込み可能な突起部と、を有するキャップ部材と、
を備えた釣り用リールのハンドル把手。
【請求項２】
前記突起部は、前記内周面にくい込み可能な第２雄ネジ部を有する、請求項１に記載の釣り用リールのハンドル把手。
【請求項３】
前記第２雄ネジ部は、前記第１雄ネジ部より大径でかつ同じネジピッチを有する、請求項２に記載の釣り用リールのハンドル把手。
【発明の詳細な説明】
【技術分野】
【０００１】
本発明は、ハンドル把手、特に、釣り用リールに固定された把手軸に装着可能なハンドル把手に関する。
【背景技術】
【０００２】
スピニングリールや、両軸受リール等の釣り用リールのハンドル軸の先端には、ハンドル組立体が固定されている。ハンドル組立体は、ハンドル軸の先端に回転不能に装着されたハンドルアームと、ハンドルアームの先端に回転不能に固定された把手軸と、把手軸に回転自在に装着されたハンドル把手とを有している。このようなハンドル把手は、把手軸に回転自在に支持された金属製の筒状部と、筒状部の外周を覆うように設けられた鼓状の把手部とを有している。筒状部は、把手軸に対して回転自在かつ軸方向移動不能に装着されており、把手軸の先端部にねじ止めされている。また、把手部の先端部は、把手軸の先端部に装着されたねじ部材が露出するように開口しており、この開口部を閉塞するためのキャップ部材がさらに設けられている。このようなキャップ部材は、筒状部の内周部に形成された雌ねじに螺合する雄ねじが形成されており、キャップ部材自身を回転させることによって筒状部に固定される。（たとえば、特許文献１参照）。
【先行技術文献】
【特許文献】
【０００３】
【特許文献１】特開２００８−００５７９３号公報
【発明の概要】
【発明が解決しようとする課題】
【０００４】
前記従来の釣り用リールのハンドル把手では、ハンドル把手の大きさに応じて、筒状部や把手部の大きさを変更している。たとえば大きなハンドル把手を作成する場合には、キャップ部材を筒状部にねじ止め固定するために、筒状部を軸方向長さが長くなるように形成している。このように、ハンドル把手の大きさ毎に専用の筒状部を形成すると、筒状部の長さに合わせて把手軸の長さを変更する必要が生じる。特に、把手軸を長く形成する場合には、把手軸に製造誤差が生じやすくなることからハンドルにがたが生じたり、把手軸が曲がり変形を起こしてハンドル把手の回転がスムーズでなくなったりするおそれが生じる。また、把手軸がステンレス合金等で形成される場合には、把手軸を長く形成することによって、ハンドル把手全体の重量が増加し、ハンドル把手のスムーズな回転を阻害するおそれが生じる。さらに、複数の筒状部を作成するために複数の金型を形成しなくてはならないので、製造コストが増大するおそれが生じる。
【０００５】
そこで、筒状部及び把手軸の形状は同一にし、把手部の長さが長くなった分は、キャップ部材の形状を変更し、筒状部から突出した把手部の内周面をキャップ部材の外周面に装着することが考えられる。しかし、キャップ部材は、筒状部に螺合しているため、キャップ部材を装着する際には、把手部に対して回転させなければならない。このため、把手部とキャップ部材との外周面を接着等により固定することができない。この結果、把手部が軟質の場合、把手部に力を入れて操作するときに軸方向の負荷が把手部に作用すると、把手部が軸方向にずれるおそれがある。
【０００６】
本発明の課題は、釣り用リールのハンドル把手において、軟質の把手部であってもキャップ部材に装着された部分を軸方向にずれにくくすることにある。
【課題を解決するための手段】
【０００７】
発明１に係る釣り用リールのハンドル把手は、釣り用リールに固定された把手軸に装着可能なハンドル把手である。ハンドル把手は、筒状部と、把手部と、キャップ部材と、を備えている。筒状部は、把手軸に回転自在に装着可能であり、先端部に雌ネジ部を有している。把手部は、筒状部の外周面に装着可能な内周面を有し、内周面の先端が外周面から軸方向外方に突出して開口する軟質弾性体製である。キャップ部材は、雌ネジ部に螺合する第１雄ネジ部と、把手部の開口を覆って把手部を抜け止めする大径の頭部と、第１雄ネジ部と頭部との間に配置され、筒状部から軸方向外方に突出する内周面に食い込み可能な突起部と、を有している。
【０００８】
このハンドル把手では、筒状部の外周面に把手部の内周面を装着すると、把手部の内周面の先端は筒状部の外周面から軸方向外方に突出して配置される。この状態でキャップ部材の第１雄ネジ部を筒状部の雌ネジ部に螺合させると、把手部の軸方向外方に突出した内周面にキャップ部材の突起部が食い込んで内周面が変形する。また、把手部の開口がキャップ部材の頭部により覆われ把手部が抜け止めされる。ここでは、キャップ部材の突起部が軟質の把手部の内周面に食い込むため、キャップ部材で把手部の内周面を受けても把手部の軸方向の移動が規制される。このため、軟質の把手部であってもキャップ部材に装着された部分が軸方向にずれにくくなる。
【０００９】
発明２に係る釣り用リールのハンドル把手は、発明１に記載の把手において、突起部は、内周面にくい込み可能な第２雄ネジ部を有する。この場合には、突起部としての第２雄ネジ部が内周面に食い込んでいくため、第１雄ネジ部を雌ネジ部に螺合させるためにキャップ部材を回しても第２雌ネジ部が内周面にくい込みながらキャップ部材がスムーズに軸方向に移動する。このため、突起部を把手部の内周面に食い込ませても内周面が破損しにくくなる。
【００１０】
発明３に係る釣り用リールのハンドル把手は、発明２に記載の把手において、第２雄ネジ部は、第１雄ネジ部より大径でかつ同じネジピッチを有する。この場合には、第１雄ネジ部と第２雄ネジ部と同じネジピッチであるので、第１雄ネジ部が雌ネジ部に螺合するときに同じ速度で第２雄ネジ部が把手部の内周面に食い込んで移動する。このため、装着時にネジピッチの相違による歪みが生じにくくなる。
【発明の効果】
【００１１】
本発明によれば、キャップ部材の突起部が軟質の把手部の内周面に食い込むため、把手部の軸方向の移動が規制される。このため、軟質の把手部であっても軸方向にずれにくくなる。
【図面の簡単な説明】
【００１２】
【図１】本発明の一実施形態が採用された両軸受リールの斜視図。
【図２】その平面図。
【図３】ハンドル組立体の分解斜視図。
【図４】ハンドル組立体の断面拡大図。
【発明を実施するための形態】
【００１３】
本発明の一実施形態を採用した釣り用リールは、図１及び図２に示すように、ロープロフィール型の両軸受リールである。この両軸受リールは、リール本体１と、リール本体１の側方に配置されたスプール回転用のハンドル組立体２と、リール本体１の内部に回転自在かつ着脱自在に装着された糸巻き用のスプール１２とを備えている。ハンドル組立体２のリール本体１側には、ドラグ調整用のスタードラグ３が設けられている。
【００１４】
リール本体１は、フレーム５と、フレーム５の両側方に装着された第１側カバー６ａ及び第２側カバー６ｂとを有している。また、リール本体１は、フレーム５の前方を覆う前カバー７と、上部を覆うサムレスト８とを有している。フレーム５は、左右に所定の間隔をあけて互いに対向するように配置された１対の第１側板５ａ及び第２側板５ｂと、これらの第１側板５ａ及び第２側板５ｂを連結する図示しない複数の連結部とを有している。フレーム５は、下側の連結部に設けられた図示しない竿装着部により釣竿に装着可能である。
【００１５】
リール本体１の内部には、釣竿と交差する方向に配置されたスプール１２と、スプール１２に釣り糸を均一に巻き取るための図示しないレベルワインド機構と、ハンドル組立体２の回転をスプールに伝達する図示しない回転伝達機構とが配置されている。回転伝達機構には、ハンドル組立体２が先端に装着されたハンドル軸２０（図３参照）と、ハンドル組立体２の回転をスプール１２に伝達、遮断（オン、オフ）する図示しないクラッチ機構と、図示しないドラグ機構とが設けられている。ハンドル軸２０は、リール本体１にスプール１２と平行な軸回りに回転自在に支持されている。フレーム５の後部には、クラッチ機構をオン、オフ操作するとともに、サミングの当てとなるクラッチレバー１７が揺動自在に装着されている。
【００１６】
＜ハンドル組立体の構成＞
ハンドル組立体２は、図３に示すように、ハンドル軸２０の先端に一体回転可能に装着されたハンドルアーム２１と、ハンドルアーム２１の両端に固定された把手軸２２と、把手軸２２に回転自在かつ軸方向移動不能に装着されたハンドル把手２３とを有している。
【００１７】
ハンドル軸２０先端に形成された面取り部２０ａの外周部には、ハンドルアーム２１を固定するためのナット部材２４が螺合する他の部分より小径の雄ネジ部２０ｂが形成されている。雄ネジ部２０ｂは、非円形孔２１ａを挿通しハンドルアーム２１の外側に露出している。露出した雄ネジ部２０ｂにナット部材２４を螺合させることにより、ハンドルアーム２１がハンドル軸２０に一体回転可能に固定される。
【００１８】
ハンドルアーム２１は、図３に示すように、ハンドル軸２０と交差する両方向に延びるダブルハンドル型のものである。ハンドルアーム２１は、例えば、金属、カーボン繊維強化樹脂製又はガラス繊維強化樹脂製のものである。ハンドルアーム２１は、中央部分にハンドル軸２０の面取り部２０ａが係合するように内形が略矩形となるように貫通して形成された非円形孔２１ａを有している。また、ハンドルアーム２１は、両端に把手軸２２が固定される貫通孔２１ｂを有している。
【００１９】
把手軸２２は、例えば、ステンレス合金製の軸部材である。把手軸２２は、図３及び図４に示すように、貫通孔２１ｂに挿通されている。把手軸２２は、基端側にハンドルアーム２１に対する当てとなる大径部２２ａを有している。また、大径部２２ａに隣接して後述する滑り軸受４０を位置決めするための位置決め段差２２ｂが形成されている。把手軸２２は、位置決め段差２２ｂからは１段小径に形成されている。把手軸２２の先端面（図４右側面）には、ハンドル把手２３を抜け止めするための固定ネジ３４がねじ込まれるネジ穴２２ｃが形成されている。
【００２０】
把手軸２２の基端部には、ステンレス合金製の歯付き座金２８及びステンレス合金製のワッシャ２９を装着されている。この歯付き座金２８及びワッシャ２９を装着した状態で、把手軸２２は、ハンドルアーム２１にかしめ固定されている。ここでは、歯付き座金２８の内径は、把手軸２２の先端部の外径より小径となるように形成されている。このため、歯付き座金２８が把手軸２２の先端部に噛み込むように装着される。この結果、把手軸２２を強固にハンドルアーム２１にかしめ固定できる。
【００２１】
ナット部材２４は、六角形部２４ａを有する袋ナットである。ナット部材２４の外周部には、ナット部材２４の六角形部２４ａを回り止めする金属板製のリテーナ２５が装着されている。リテーナ２５は、六角形部２４ａの角部が任意の位置で相対回転不能に係合するための複数（例えば１６個）の凹部を有する係合孔２５ａと、貫通孔２５ｂと、を有している。貫通孔２５ｂは、係合孔２５ａの近傍に配置されている。貫通孔２５ｂには、ハンドルアーム２１の内側に装着されるリテーナ固定部材２６にリテーナ２５をネジ止めするための固定ボルト２７が装着される。ハンドルアーム２１にはリテーナ２５の貫通孔２５ｂと連通する貫通孔２１ｃが形成されている。リテーナ固定部材２６は、ハンドルアーム２１の非円形孔２１ａと連通する非円形孔２６ａと、非円形孔２６ａを挟んで対称に配置された２つのネジ孔２６ｂと、を有している。非円形孔２６ａは、非円形孔２１ａと同形状である。２つのネジ孔２６ｂの一方がハンドルアーム２１の貫通孔２１ｃと連通し固定ボルト２７が螺合する。２つのネジ孔２６ｂは、対称に配置されているため、リテーナ固定部材２６の向きを左右入れ替えたり、あるいはリテーナ固定部材２６を裏返したりする場合においても、リテーナ固定部材２６の２つのネジ孔２６ｂのうちどちらのネジ孔２６ｂにも固定ボルト２７を螺合させることができる。ここでは、リテーナ固定部材２６に固定ボルト２７を螺合させることによってリテーナ２５を固定しているので、リテーナ２５をハンドルアーム２１に直接固定する場合に比して、固定時のハンドルアーム２１への負荷を分散できる。
【００２２】
＜ハンドル把手の構成＞
ハンドル把手２３は、図３及び図４に示すように、把手軸２２に回転自在かつ軸方向移動不能に装着可能な筒状部３１と、筒状部３１の外周面に装着可能な把手部３２と、把手部３２を抜け止めするためのキャップ部材３３とを有している。
【００２３】
筒状部３１は、例えば、ポリアセタール樹脂やポリイミド樹脂等の摺動性能が高い硬質合成樹脂製である。筒状部３１は、把手軸２２の外周面に間隔を隔てて配置された滑り軸受４０及び滑り軸受４１により把手軸２２に回転自在に支持されている。筒状部３１の基端側（図３左側）の外周面には、他の部分より突出する回り止め部３１ａが形成されている。回り止め部３１ａは、円を四角に面取りした形状である。回り止め部３１ａは、キャップ部材３３を装着する際にスパナ等の工具を係止するために形成されている。また、把手部３２を装着する際の当たりとして使用される。筒状部３１の外周面には、回り止め部３１ａに隣接して、面取りした部分と同径の第１円周部３１ｂと、第１円周部３１ｂより小径の第２円周部３１ｃと、が形成されている。第１円周部３１ｂと第２円周部３１ｃとの段差は略０．１ｍｍから０．４ｍｍの範囲である。すなわち、第２円周部３１ｃの外径は、第１円周部３１ｂの外径より０．２ｍｍから０．８ｍｍの範囲で小さい。また、第１円周部３１ｂの軸方向長さは第２円周部３１ｃの軸方向長さの１５％から２０％の範囲の長さである。
【００２４】
第２円周部３１ｃの外周面には、把手部３２を回り止めするための凸部３１ｄが径方向外方に突出して形成されている。凸部３１ｄは、周方向に間隔を隔てて配置され軸方向（図４の左右方向）に沿って形成されている。凸部３１ｄの外周面は第１円周部３１ｂと同径である。従って凸部３１ｄの外周面と第１円周部３１ｂの外周面との間には段差が生じない。
【００２５】
筒状部３１の先端側（図４右側）の内周面には、キャップ部材３３が螺合する雌ネジ部３１ｅが形成されている。また、内周面には、前述した回転支持用の滑り軸受４０及び滑り軸受４１が間隔を隔てて装着されている。滑り軸受４０及び滑り軸受４１は、例えば、ポリアセタール樹脂やポリイミド樹脂等の摺動性能が高い硬質合成樹脂製である。
【００２６】
把手部３２は、例えば、ＥＶＡ（エチレン−酢酸共重合体樹脂）やクロロプレンゴム等の軟質合成樹脂弾性体製の筒状部材である。把手部３２の外形は、中間部が最も小径であり、基端部が中間部より大径であり、先端部が中間部及び基端部より大径であるひょうたん型の形状である。把手部３２は、この実施形態では、把手軸２２と直交する断面がすべて円形である。把手部３２は、筒状部３１の外周面に装着される内周面３２ａを有している。内周面３２ａの先端は、筒状部３１の外周面から軸方向外方に突出して開口している。把手部３２の装着前の内周面３２ａの内径は、図４に破線で示すように、筒状部３１の外周面より小さい。例えば、筒状部３１の最も小径の第２円周部３１ｃの外径に対して０．１ｍｍから０．３ｍｍの範囲で内周面３２ａの内径が小さい。したがって、筒状部３１に把手部３２に装着する際には、内周面３２ａは僅かに圧縮変形する。しかし、内周面３２ａの内径が筒状部３１の外径に対して前述した範囲であるので、把手部３２を筒状部３１の外周面に装着する際に過度に変形して装着しにくくならない。把手部３２の先端部には、キャップ部材３３の後述する頭部３３ｂが接触する円形の接触凹部３２ｂが形成されている。
【００２７】
キャップ部材３３は、筒状部３１の先端部（図３右側）内周部の雌ネジ部３１ｅに螺合可能な第１雄ネジ部３３ａと、把手部３２を抜け止めする大径の頭部３３ｂと、を有している。また、キャップ部材３３は、第１雄ネジ部３３ａと頭部３３ｂとの間に配置され、把手部３２の内周面ａに食い込み可能な突起部３３ｃをさらに有している。頭部３３ｂは、把手部３２の開口を閉塞するように把手部３２の先端部の接触凹部３２ｂに接触可能である。頭部３３ｂには、ドライバー等の工具係止用の係止部３３ｄが形成されている。突起部３２ｃは、第１雄ネジ部３３ａと同じピッチでかつ大径の第２雄ネジ部３３ｅを有している。
【００２８】
キャップ部材３３は、ハンドル把手２３を把手軸２２に固定ネジ３４により装着した後、工具により回しながら装着することにより、筒状部３１の雌ネジ部３１ｅに固定される。このとき、突起部３３ｃの第２雄ネジ部３３ｅが把手部３２の内周面３２ａに食い込んで、把手部３２の軸方向への移動を規制する。
【００２９】
このような構成のハンドル把手２３を組み立てる際には、最初に、筒状部３１に把手部３２を接着固定する。具体的には、筒状部３１の外周面に接着剤を塗布した後、外周面に把手部３２を装着する。このとき、把手部３２は、内周面３２ａが外周面より小径であるので、わずかに変形して装着される。
【００３０】
この状態で把手軸２２に滑り軸受４０を装着し、続いて把手部３２が接着固定された筒状部３１を装着する。続いて、把手軸２２に滑り軸受４１を装着する。滑り軸受け４１を装着すると、把手軸２２のネジ穴２２ｃに固定ネジ３４をねじ込むことによって、筒状部３１が把手軸２２に対して回転自在かつ軸方向移動不能に支持される。最後に、把手部３２の先端部（図４右側）の開口にキャップ部材３３を装着して工具を用いて回す。このとき、筒状部３１の共回りを防止するために、回り止め部３１ａに係止工具を係止する。キャップ部材３３自身が回転すると、第２雄ネジ部４２ｅが把手部３２の内周面３２ａに食い込みながら、第１雄ネジ部３３ａが雌ネジ部３１ｅに螺合してキャップ部材３３が筒状部３１に固定される。
【００３１】
次にリールの動作について説明する。
【００３２】
キャスティング時には、クラッチレバー１７によりクラッチ機構を離脱状態にしてスプール１２を自由回転状態にする。この状態で釣竿をキャスティングすると、の自重により仕掛けが前方に飛行しスプール１２から釣り糸が繰り出される。
【００３３】
仕掛けが着水すると、所定のタイミングでハンドル組立体２を僅かに巻き取り方向に回転させ、クラッチ機構を係合状態にする。するとスプール１２が繰り出し方向への回転が停止する。この状態でハンドル組立体２を回したり釣竿を上下動させて仕掛けを泳がせて当たりを待つ。魚が仕掛けに掛かると、ハンドル把手２３を指先で摘んでハンドル組立体２を巻き取り方向に回転させて魚を取り込む。把手部３２は、筒状部３１には接着されているが、キャップ部材３３には接着されていない。このとき、力を入れて軟質の把手部３２を摘んで軸方向に負荷をかけると、キャップ部材３３に装着された部分で把手部３２が軸方向にずれようとする。しかし、本実施形態では、キャップ部材３３に設けられた突起部３３ｃが軟質の把手部３２の内周面に食い込むため、把手部３２の軸方向の移動が規制される。このため、軟質の把手部３２であってもキャップ部材３３に装着された部分が軸方向にずれにくくなる。
【００３４】
＜特徴＞
（Ａ）両軸受リールのハンドル把手２３は、ハンドルアーム２１に固定された把手軸２２に装着可能なハンドル把手である。ハンドル把手２３は、筒状部３１と、把手部３２と、キャップ部材３３と、を備えている。筒状部３１は、把手軸２２に回転自在に装着可能であり、先端部に雌ネジ部３１ｅを有している。把手部３２は、筒状部３１の外周面に装着可能な内周面３２ａを有し、内周面３２ａの先端が筒状部３１の外周面から軸方向外方に突出して開口する軟質弾性体製である。キャップ部材３３は、雌ネジ部３１ｅに螺合する第１雄ネジ部３３ａと、把手部３２の開口を覆って把手部３２を抜け止めする大径構成の頭部３３ｂと、第１雄ネジ部３３ａと頭部３３ｂとの間に配置され、筒状部３１から軸方向外方に突出する内周面３２ａに食い込み可能な突起部３３ｃと、を有している。
【００３５】
このハンドル把手２３では、筒状部３１の外周面に把手部３２の内周面を装着すると、把手部３２の内周面３２ａの先端は筒状部３１の外周面から軸方向外方に突出して配置される。この状態でキャップ部材３３の第１雄ネジ部３３ａを筒状部３１の雌ネジ部３１ｅに螺合させると、把手部３２の軸方向外方に突出した内周面にキャップ部材３３の突起部３３ｃが食い込んで内周面３２ａが変形する。また、把手部３２の開口がキャップ部材３３の頭部３３ｂにより覆われ把手部３２が抜け止めされる。ここでは、キャップ部材３３の突起部３３ｃが軟質の把手部３２の内周面３２ａに食い込むため、把手部３２の軸方向の移動が規制される。このため、軟質の把手部３２であってもキャップ部材３３に装着された部分が軸方向にずれにくくなる。
【００３６】
また、このような構成では、キャップ部材３３の外周面に把手部３２の内周面３２ａが配置されるので、キャップ部材３３の軸方向長さを変更することによりハンドル把手２３の大きさが変化しても同じ筒状部３１及び把手軸２２を使用することができる。このため、安定した品質を維持しながら、安価な構成で異なる大きさのハンドル把手を作成できる。
【００３７】
（Ｂ）ハンドル把手２３において、突起部３３ｃは、内周面３２ａにくい込み可能な第２雄ネジ部３３ｅを有する。この場合には、突起部３３ｃとしての第２雄ネジ部３３ｅが内周面３２ａに食い込んでいくため、第１雄ネジ部３３ａを雌ネジ部３１ｅに螺合させるためにキャップ部材３３を回しても第２雄ネジ部３３ｅが内周面３２ａにくい込みながらキャップ部材３３がスムーズに軸方向に移動する。このため、突起部３３ｃを把手部３２の内周面３２ａに食い込ませても内周面が破損しにくくなる。
【００３８】
（Ｃ）ハンドル把手２３において、第２雄ネジ部３３ｅは、第１雄ネジ部３３ａより大径でかつ同じネジピッチを有する。この場合には、第１雄ネジ部３３ａと第２雄ネジ部３３ｅと同じネジピッチであるので、第１雄ネジ部３３ａが雌ネジ部３１ｅに螺合するときに同じ速度で第２雄ネジ部３３ｅが把手部３２の内周面３２ａに食い込んで移動する。このため、装着時にネジピッチの相違による歪みが生じにくくなる。
【００３９】
＜他の実施形態＞
以上、本発明の一実施形態について説明したが、本発明は上記実施形態に限定されるものではなく、発明の要旨を逸脱しない範囲で種々の変更が可能である。
【００４０】
（ａ）前記実施形態では、両軸受リールを例にあげて説明したが、スピニングリールや、片軸受リール等の他形式の釣り用リールのハンドル把手にも本発明を適用できる。また、ハンドルつまみは、ダブルハンドルのものに限定されず、シングルハンドルのものにも本発明を適用できる。
【００４１】
（ｂ）前記実施形態では、把手部３２は、エラストマーやクロロプレンゴム等の合成樹脂によって形成されていたが、把手部３２の材質はこれらに限定されるものではなく、たとえばウレタンゴムや軟質塩化ビニル（ＰＶＣ）等の軟質の弾性体樹脂によって形成してもよい。
【００４２】
（ｃ）前記実施形態では、把手部３２は、筒状部３１の外周面に接着固定されていたが、筒状部３１の外周面に着脱可能に圧入する構成にしてもよい。この場合には、把手部３２が、筒状部３１の外周面に着脱可能に圧入されているだけであるので、把手部３２を筒状部３１から容易に着脱することができる。このため、筒状部３１を交換することなく把手部３２を新しいものと交換することができるので、従来のように筒状部を把手部とともに交換する場合に比して、経済的になる。
【００４３】
（ｄ）前記実施形態では、把手部３２は、指先で摘むタイプのものであったが、本発明のハンドル把手はこれに限定されない。例えば、掌で握るタイプのハンドル把手にも本発明を適用できる。
【符号の説明】
【００４４】
２１    ハンドルアーム
２２    把手軸
２３    ハンドル把手
３１    筒状部
３１ｅ  雌ネジ部
３２    把手部
３２ａ  内周面
３３    キャップ部材
３３ａ  第１雄ネジ部
３３ｂ  頭部
３３ｃ  突起部
３３ｅ  第２雄ネジ部
【図１】
2011083225.tif 000003
【図２】
2011083225.tif 000004
【図３】
2011083225.tif 000005
【図４】
2011083225.tif 000006